(57)【要約】【課題】  エレベータ乗り場のエレベータ待ち時間中の単調性を改善し、また宣伝、フロア案内、建物内の安全講習などの催し行事、注意喚起など利用者に認識してもらうこと。【解決手段】  乗り場ドア１８ａが設置される乗り場出入口に乗り場ドア１８ａよりも階床１８側に設置されるディスプレイドアパネル３０と、ディスプレイドアパネル３０を開閉駆動するドア駆動部５２と、乗り場ドアの開閉に応じて前記ドア駆動部を制御し、ディスプレイドアパネルを前記乗り場ドアの開閉に同期して開閉可能にする制御装置１４とを具備して、このディスプレイドアパネルの模様、パターンを多様性のある種々のものとする。【選択図】  図２
2005089119.tif 000002
【特許請求の範囲】
【請求項１】
乗り場ドアが設置される乗り場出入口に前記乗り場ドアよりも階床側に設置されるディスプレイドアパネルと、
前記ディスプレイドアパネルを開閉駆動するドア駆動部と、
前記乗り場ドアの開閉に応じて前記ドア駆動部を制御し、前記ディスプレイドアパネルを前記乗り場ドアの開閉に同期して開閉可能にする制御装置とを具備してなるエレベータ乗り場のディスプレイドアパネル装置。
【請求項２】
前記ディスプレイドアパネルを複数セット有し、前記階床に多重に配置されてなり選択的に戸閉めされる請求項１記載のエレベータ乗り場のディスプレイドアパネル装置。
【請求項３】
前記ディスプレイドアパネルを常開にするための戸開方向の力を付与する手段と、戸閉方向の力を付与する手段とを具備してなる請求項１記載のエレベータ乗り場のディスプレイドアパネル装置。
【請求項４】
前記ディスプレイドアパネル面に絵や文字が表示される請求項１記載のエレベータ乗り場のディスプレイドアパネル装置。
【請求項５】
前記ディスプレイドアパネル面に平面映像表示装置が配置される請求項１記載のエレベータ乗り場のディスプレイドアパネル装置。
【請求項６】
前記ディスプレイドアパネルが幕板を含むことを特徴とする請求項１または請求項５記載のエレベータ乗り場のディスプレイドアパネル装置。
【発明の詳細な説明】
【技術分野】
【０００１】
本発明は、エレベータ乗り場のディスプレイドアパネル装置に関する。
【背景技術】
【０００２】
エレベータの利用は、利用者が乗り場の上下方向釦を選択操作し乗りかごの到着を待って、乗り場ドアおよび乗りかごドアが十分に戸開してから乗込んで、乗りかご内の行先階釦を押すことによって行われる。利用者は乗りかごが到着する間は、手持ち無沙汰であり、乗りかごの到着が遅れると不快な思いをすることが多い。ビルディングには１階など乗降の多い基準階があり、利用者もこの基準階に集中する。
【０００３】
そこで乗り場ドアに絵を描き、さらにスピーカから自然の音などを放送して待ち時間中の利用者を和ませる方法が提案されている（例えば特許文献１参照）。
【特許文献１】特開平７−５３１４７号公報
【発明の開示】
【発明が解決しようとする課題】
【０００４】
しかし乗り場ドアの模様やパターンを頻繁に変更するのは大変であり、安全性の面から大きな細工も施せないので、単調性をさらに改善することが望まれる。さらにデパートなどの商用ビルであれば、期中売出しの宣伝やその詳細、フロア案内、オフィスビルでは建物内の安全講習などの催し行事、注意喚起などを多くの利用者に認識してもらうことが望ましい。
【０００５】
本発明はこのような要望を満足させることができるエレベータ乗り場のディスプレイドアパネル装置を得るものである。
【課題を解決するための手段】
【０００６】
本発明は、乗り場ドアが設置される乗り場出入口に前記乗り場ドアよりも階床側に設置されるディスプレイドアパネルと、
前記ディスプレイドアパネルを開閉駆動するドア駆動部と、
前記乗り場ドアの開閉に応じて前記ドア駆動部を制御し、前記ディスプレイドアパネルを前記乗り場ドアの開閉に同期して開閉可能にする制御装置とを具備してなるエレベータ乗り場のディスプレイドアパネル装置を得るものである。
【０００７】
さらに、前記ディスプレイドアパネルを複数セット有し、前記階床に多重に配置されてなり選択的に戸閉めされるエレベータ乗り場のディスプレイドアパネル装置を得るものである。
【０００８】
さらに、前記ディスプレイドアパネルを常開にするための戸開方向の力を付与する手段と、戸閉方向の力を付与する手段とを具備することが好ましい。
【０００９】
さらに、前記ディスプレイドアパネル面に絵や文字が表示されることが好ましい。
【００１０】
さらに、前記ディスプレイドアパネル面に液晶表示装置または有機ＥＬ装置が配置されることが好ましい。
【発明の効果】
【００１１】
乗り場ドアとは別にその階床側にディスプレイドアパネル装置を設置することにより、多様なディスプレイ表示が可能になり、エレベータ待機中の利用者を和ませるとともに、期中売出しの宣伝やその詳細、フロア案内、安全講習などの催し行事、注意喚起などを利用者に認識してもらうことが可能になる。
【００１２】
利用者が集中する基準階床に本発明のディスプレイドアパネルを設置することにより、効率よく多くの利用者にディスプレイの内容を認識させることができるので、単にエレベータ待機中の利用者を和ませるばかりでなく、情報の効率的な伝達が可能になる。
【００１３】
描かれたパターン、模様の異なるディスプレイドアパネルの複数セットを多重に配置して、乗り場ドアの戸閉時に、選択的に戸閉状態にすることにより、多様な表示を任意に選ぶことができる。
【００１４】
また、ディスプレイドアパネルに液晶表示パネルなどの動画が可能な平面映像表示装置を組込むことにより、ディスプレイドアの利用性を更に高めることができる。
【発明を実施するための最良の形態】
【００１５】
本発明の一実施形態を図１ないし図３により説明する。
【００１６】
エレベータは図１に示すように、建物の昇降路１１上に機械室１２を配置し、個々に巻上機１３と制御盤１４を置いている。巻上機１３にロープ１５を巻き、乗りかご１６とつりあい重り１７を吊り下げて、乗りかご１６を昇降し各階床１８、１９、２０、２１に停止するように、巻上機を駆動する。各階床の昇降路位置に常閉の乗り場ドア１８ａ、１９ａ、２０ａ、２１ａが設置され乗りかごがある階で停止すると、乗りかごのドアの戸開にともなってその開の乗り場ドアが戸開し、利用者の乗降が可能になる。
【００１７】
建物が外部と連絡している基準階１８に本実施形態のディスプレイドアパネル３０が設置される。図２に示すように、乗りかご１６の出入口に乗りかごドア２２があり、乗りかご停止位置で乗り場ドア１８ａと対向する。本実施形態では両ドア１８ａ、２２ともに両開きドアで形成される。
【００１８】
ディスプレイドアパネル３０は乗り場ドア１８ａの階床１８側に設置されており、両開き形の一対のパネル３１、３２を一組として３セット３３、３４、３５を多重に重ねるように並列させる。各ドアパネルは３方枠３６（図３）で保持され、３方枠の周辺は化粧壁３７、３８で囲み、向かって右側側壁３７に行先釦３９が配置される。
【００１９】
図３に示すように、各ドアパネル３１、３２は上辺をドアローラ４０を備えたハンガー４１、４２を有している一対のパネルからなる。ローラ４０は３方枠の梁３６ａに取り付けたドアレール４３に当接され、パネルはハンガーで吊架される。梁３６ａの両端のプーリ４４、４５にループ状ワイヤ４６が張られ、第１のパネル３２はハンガー４２から延びたブラケット４７でワイヤ４６の上側に接続され、第２のパネル３１はハンガー４１によってワイヤ４６の下側に接続されて、各パネルはワイヤの移動によりお互いに反対方向にレール４３にそって移動する。パネルの下側にはガイドシュー４８、４９が突接し、パネルが面前後に振れないように階床の敷居溝にそって案内される。
【００２０】
第２のパネル３１のハンガー４１からブラケット５０が延長され、このブラケット５０と一方のプーリ４４との間にコイルばね５１が取り付けられて、プーリ４４側に牽引するように付勢される。第１のパネル３２のハンガー４２上に延びたブラケット４７に駆動装置５２に巻き取られる牽引ワイヤ５３が接続され、あるディスプレイドアパネルが選択されると、制御盤１４からの信号により駆動装置５２の作動によって第１のパネル３２は中央側に移動する。すなわち通常はコイルばね５１により両開きドアは戸開状態にあり、駆動装置５２の作動によって第１のパネル３２が中央側に寄り、同時にループ状ワイヤ４６が回って第２のパネル３１が中央側に寄って戸閉状態になる。牽引ワイヤ５３にロック装置５４が設けられ、制御盤１４で得られる乗り場ドア１８ａの戸閉信号によってロック装置５４が作動して牽引ワイヤ５３をロックし、さらに駆動装置の駆動を解除する。
【００２１】
乗りかご停止により、制御盤１４から乗りかごドア２２を戸開する信号が発せられ、乗りかごドアの開閉駆動モータ（図示せず）が作動して乗りかごドアが戸開すると、従動的に乗り場ドア１８ａが戸開する。同時に前記戸開信号を受けてロック装置５４が解除されると、第１および第２のパネル３２、３１は戸開する。すなわち第２のパネル３１がコイルばね５１により側方に牽引され、これにともないループ状ワイヤ４６が引張られて第１のパネル３２を従動的に側方に移動させる。
【００２２】
また、戸閉信号は前面化粧壁３７、３８に設けた赤外線検出手段６０により得ることができる。最後の乗降者が通過したことを確認し、その検出信号をロック装置５４に出力し、同時に駆動装置５２を作動させて、ドアパネルを戸閉する。
【００２３】
３セットのディスプレイドアパネル３３、３４，３５は同じ構造を有し、それぞれの梁を相互に固定して並列して配置される。駆動装置は３セットに対して共通にしてもよい。どのセットを戸閉するかは、駆動装置に選択スイッチを設けて予めまたはその場に応じて設定することができる。
【００２４】
本実施形態においては、異なるパターンのドアパネルを３種類用意することができ、基準階で多くの利用者に情報の伝達や待ち時間のイライラの解消の手段として有効に機能させることができる。さらに、ドアパネルを常開に設定することにより、停電などの事故に対して戸開状態に保持できるので、エレベータの緊急時の乗降に支障を来たすことがないという利点がある。
【００２５】
図４は他の実施形態を示す概略図である。なお前実施形態と同符号は同様部分を示す。前記実施形態で説明したように、３方枠の梁がありこれが露出するので外観上これを隠す幕板６０が必要になる。この幕板６０に巻きスクリーン布を使用する。図のように３種類のスクリーン布６０、６１、６２を用意し、選択された巻きスクリーン布を伸ばして、ドアパネルの上部を覆う構造にしてある。巻きスクリーン布に形成した模様などを異なるものにしておくことで、３種の表示が得られ、ディスプレイパネルとの相乗効果を高めることができる。
【００２６】
図５は更に他の実施形態を示す。なお図１ないし図３と同符号の部分は同様部分を示す。乗りかごの停止位置に乗りかごドアに対向して、開床の昇降路に面して乗り場ドアが配置されており、乗り場ドアの開床側に本実施形態のディスプレイドアパネル７０が配置される。ドアパネルは１セットで乗り場ドアと同じ両開き形であり、戸開した状態で一対のパネル７１、７２が出入口の両側に収容される構造になっている。パネルは図３の実施形態と同様の３方枠で支持され、戸開閉機構も図３と同様に形成される。
【００２７】
両パネル７１、７２表面に平面映像表示装置７３、７４例えば液晶表示装置がはめ込みにより設置され、さらにその上部の幕板７５に他の平面映像表示装置７６例えば液晶表示装置が固定されている。ディスプレイドアパネル７０に向かって右側の化粧壁３７に行先釦３９が設置され、左側の化粧壁３８に液晶表示装置の画像切換と音量調節用の釦７７が設置されている。
【００２８】
ドアパネル面の液晶表示装置７３、７４は戸閉のときに表示動作し、幕板面の液晶表示装置７６はドア開閉を問わず表示が可能であり、設置建物内の各種情報、テレビジョン、広告などの多様な表示をさせることができる。液晶表示装置は薄形に形成することができるので、パネルドアや幕板に取り付けてもドアの厚みを必要以上に増加させることがない。このほか平面映像表示装置として有機ＥＬ装置が適している。
【００２９】
本実施形態は平面映像表示装置を両開きパネルドア、幕板に取り付けたがいずれかに取り付けてもディスプレイドアとして機能させることができる。
【００３０】
以上本発明の実施形態は階床の乗り場ドアと独立して設けることができるので、建物の既設のエレベータの乗り場に、ユニットとして簡便に取り付けることができて乗り場ドアの階層も必要がなく、しかもエレベータの乗降の安全性を確保しながら本発明の効果を発揮することができるものである。
【図面の簡単な説明】
【００３１】
【図１】本発明の一実施形態を説明するエレベータの概略図。
【図２】図１のA−Ａ線にそう要部断面図。
【図３】本発明の一実施形態のディスプレイドアの正面図。
【図４】本発明の他の実施形態の正面略図。
【図５】本発明の更に他の実施形態の正面略図。
【符号の説明】
【００３２】
１１：昇降路
１４：制御盤（制御装置）
１６：乗りかご
１８ないし２１：階床
１８ａ：乗り場ドア
２２：乗りかごドア
３０：ディスプレイドアパネル
３１、３２：ドアパネル
３３、３４，３５：ディスプレイドアパネル
３６：３方枠
３７、３８：化粧壁
３９：行先釦
４１、４２：ハンガー
４３：ドアレール
４６：ループ状ワイヤ
５１：コイルばね
５２：駆動装置
５３：牽引ワイヤ
５４：ロック装置
６０：幕板
７３、７４：パネルドアの平面映像表示装置
７６：幕板の平面映像表示装置
【図１】
2005089119.tif 000003
【図２】
2005089119.tif 000004
【図３】
2005089119.tif 000005
【図４】
2005089119.tif 000006
【図５】
2005089119.tif 000007